(57)【要約】【課題】組立てを簡易にすると共に、省資源、軽量化を図る。【解決手段】本体フレーム２と、この本体フレーム内に平面ほぼ半円形状の上保持部４と下保持部５とによって保持されているプラスチック製薄板である商品表示板３とからなり、上保持部４と下保持部５との後部両部間は連結用側枠６によって連結されており、上保持部及び下保持部にはその外周縁に沿って被覆部４ａ，５ａが立設され、互いに対向する各内面に被覆部４ａ，５ａに沿ってかつこれらの被覆部の内側から所定距離ｄだけ離して上位置保持溝４ｂ及び下位置保持溝５ｂがそれぞれ形成されており、上位置保持溝及び下位置保持溝のそれぞれの両終端に商品表示板の後方移動を規制するための上下のストッパ７，８が形成されており、商品表示板３は本体フレーム２の後開口部２ｂを通じて本体フレームへ差込み可能である。【選択図】          図２
2004152070.tif 000002
【特許請求の範囲】
【請求項１】
本体フレームと、この本体フレームに保持されている商品表示板とからなり、
上記本体フレームは、その上部及び下部のそれぞれに前方に張り出して設けてあると共に平面がほぼ半円形の上保持部及び下保持部と、上記上保持部と下保持部との後部両側部間を連結する連結用側枠とからなり、
上記上保持部及び下保持部は、その外周縁に沿って被覆部が立設され、互いに対向する各内面に上記各被覆部に沿ってかつこれらの被覆部から内側に所定距離離して上位置保持溝及び下位置保持溝がそれぞれ形成されており、
上記被覆部の両側端部は上記連結用側枠に連なっており、
上記上位置保持溝及び下位置保持溝のそれぞれの両終端に位置し上記上保持部及び下保持部の内面から突起状の上ストッパ及び下ストッパが形成されており、
上記下保持部には光取り入れ孔が開けられており、
上記商品表示板は屈曲可能のプラスチック製薄板からなり、
上記本体フレームであって、上記上保持部、下保持部及び上記連結用側枠に囲まれた空間の前側に表示用の前開口部が、後側に取付け用の後開口部が形成されており、
上記商品表示板は上記後開口部を通じて上記本体フレーム内外に差込みかつ取出し可能であり、
上記商品表示板は、上記本体フレーム内に上下の両端辺が上記上位置保持溝及び下位置保持溝により位置保持されて、上記前開口部に面して湾曲状態に納まっており、上下の両端辺の後部が上記上ストッパ及び下ストッパによって規制されている
ことを特徴とする自動販売機用飲料缶見本。
【請求項２】
上下の各ストッパはこれと一体の規制片部を有する平面ほぼＬ形に形成されているものであり、各規制片部は上下の位置保持溝の被覆部側内面に沿って設けられており、各規制片部の内面には商品表示板の上下の両端辺の後部が当接していることを特徴とする請求項１記載の自動販売機用飲料缶見本。
【発明の詳細な説明】
【０００１】
【発明の属する技術分野】
この発明は、組立てを容易にした自動販売機用飲料缶見本に関する。
【０００２】
【従来の技術】
従来の自動販売機用飲料缶見本として例えば実公平７−２６７８７号公報記載の缶見本が提案されている。この缶見本は、本体を平面円形状の上端板部及び下端板部と、両端板部の背縁間を互いに連結する支柱部とを一体とした支持体で構成し、上記両端板部間に見本表示板（商品表示板）を円筒状に湾曲させて介在させてなり、上記下両端板部には上下に貫通した透孔を備えると共に、両端板部の対向面の各周縁部にそれぞれリング状の立上り部を一体に設け、上記支柱部の前面に上記見本表示板の縦向きの両縁部が係合される係合突起を上下方向に二条形成しているものである。
見本表示板の装着に際しては、これを透孔の直径より小さく丸め、下端側を下端板部の透孔内に挿入した状態で支持体内に挿入し、上端側を上端板部内の所定高さ位置に挿入し、丸めている手を離す。これによって見本表示板は、自ら弾性によって開いて、上下両縁外面が上下端板部の周縁部のリング状の各立上り部内面に当接され、上記見本表示板の両側縁が係合突起に当接され、装着される。
【０００３】
【発明が解決しようとする課題】
従来例によると、見本表示板を透孔の直径より小さく丸めてから、当該透孔に一方の端側を挿入するものである。この種の作業は、見本表示板を単純に丸めるだけではなく小さく丸める上に、あたかも糸を針の穴に通すような挿入操作の必要があるために、組立て作業が面倒となり、量産する場合に作業者に負担がかかる課題が予想される。また組立て段階で、一旦装着した見本表示板を交換する場合には係合突起から外してから再び小さく丸めてから透孔を通じて外す面倒がある。
また従来例は、缶見本としての機能を発揮しているものの、最近の環境の保護、省資源化の観点から、さらに使用する材料を少なくするという要求を満たすにはさらなる改良の必要がある。
この発明の目的は、組立てを簡易にすると共に、省資源、軽量化を図ることにある。
【０００４】
【課題を解決するための手段】
この発明に係る自動販売機用飲料缶見本は、本体フレームと、この本体フレームに保持されている屈曲可能のプラスチック製薄板商品表示板とからなるものである。上記本体フレームは、その上部及び下部のそれぞれに前方に張り出して設けてあると共に平面がほぼ半円形の上保持部及び下保持部と、上記上保持部と下保持部との後部両側部間を連結する連結用側枠とからなる。上記上保持部及び下保持部は、その外周縁に沿って被覆部が立設され、互いに対向する各内面に上記各被覆部に沿ってかつこれらの被覆部から内側に所定距離離して上位置保持溝及び下位置保持溝がそれぞれ形成されている。上記被覆部の両側端部は上記連結用側枠に連なっている。上記上位置保持溝及び下位置保持溝のそれぞれの両終端に上ストッパ及び下ストッパが形成されている。上記下保持部には光取り入れ孔が開けられている。上記本体フレームであって、上記上保持部、下保持部及び上記連結用側枠に囲まれた空間の前側に表示用の前開口部が、後側に取付け用の後開口部が形成されており、上記商品表示板は上記後開口部を通じて上記本体フレーム内外に差込みかつ取出し可能である。上記商品表示板は、上記本体フレーム内に上下の両端辺が上記上位置保持溝及び下位置保持溝により位置保持されて、上記前開口部に面して湾曲状態に納まっており、上下の両端辺の後部が上記上ストッパ及び下ストッパによって規制されている。上記上位置保持溝及び下位置保持溝が浅い場合であっても、商品表示板の安定的な保持を確保するために、上下の各ストッパに規制片部を設けて商品表示板の左右端部が外側に開くことを抑制する。これらのストッパは平面ほぼＬ形に形成され、各規制片部の内面に商品表示板の上下の両端辺の後部が当接している。
【０００５】
【発明の実施の形態】
図１及び図２に示す自動販売機用飲料缶見本１は、本体フレーム２と、この本体フレームにほぼ半円筒状に湾曲されて保持されている商品表示板３とからなる。
本体フレーム２は、上下にそれぞれ前方に張り出しかつ平面がほぼ半円形状の上保持部４及び下保持部５を設けてあると共に、上保持部と下保持部との後方両側部間を連結する連結用側枠６を設けている。
上保持部４は、図２乃至図４に示すようにその外周縁に沿って被覆部４ａが壁のように下方に向けて立設され、この被覆部の両端側は連結用側枠６に連なっている。上保持部４の内面（図２下面）には、被覆部４ａに沿って平面形状がほぼ円弧状の上位置保持溝４ｂが形成されている。上位置保持溝４ｂは商品表示板３の上辺を位置保持可能である。上位置保持溝４ｂは被覆部４ａの内側から所定の距離ｄ（図２）だけ離して上保持部４に配置されている。また上保持部４の内面から突出した突起部となっている上ストッパ７が形成されている。上ストッパ７は図３乃至図５に示すように上位置保持溝４ｂのそれぞれの終端に連続して配置されている。各上ストッパ７の幅は上位置保持溝４ｂのそれと一致している（図３）。各上ストッパ７は、上位置保持溝４ｂに保持されている商品表示板３の後下端面が当接することによって、この商品表示板が図５左方向へ移動するのを規制している。
下保持部５は、図１、図２及び図６に示すようにその外周縁に沿って被覆部５ａが立設されており、内面（図２上面）に下位置保持溝５ｂを形成していると共に、下位置保持溝の両端部の終端に下ストッパ８を設けている。下保持部５における被覆部５ａ、下位置保持溝５ｂ及び下ストッパ８は、上保持部４における被覆部４ａ、上位置保持溝４ｂ及び上ストッパ７といずれも実質的に同一構成であるので、詳細な説明は省略する。
上保持部４と下保持部５とは図１及び図２に示すように上下方向で互いに対向して配置されており、同様に被覆部４ａと被覆部５ａ、上位置保持溝４ｂと下位置保持溝５ｂ、上ストッパ７と下ストッパ８についても対向位置関係にある。
下保持部５には図１、図２及び図７に示すように、取付け部９が設けられている。取付け部９の外周に掛止め部９ａを設けてある。取付け部９は陳列部１０の陳列板１０ａの取付け穴（図示せず。）に挿入して所定角度回転させることにより、掛止め部９ａと取付け穴の内周縁の係止部とが互いに係合することによって、陳列板に固定され、この結果本体フレーム２が陳列板上に起立される。取付け部９には光取り入れ孔９ｂが貫通されている。光取り入れ孔９ｂは、陳列板１０ａの下方に設置される光源（図示せず。）からの光を本体フレーム２へ導く光導入孔である。
商品表示板３は、透光性を備えている弾性変形可能なプラスチック製薄板であって、しかも図３に示すようにほぼ半円筒状に折り曲げられて使用されている状態で、その保形性を備える程の可撓性を備えている。商品表示板３は使用前では四角形となっており、前面（表面）に商品名などの情報が表示されている。
【０００６】
本体フレーム２と商品表示板３との関係について説明する。
図１、図２及び図８に示す本体フレーム２において、上保持部４、下保持部５及び連結用側枠６に囲まれた前側（図２右側）の空間が表示用の前開口部２ａであり、後側の空間が商品表示板３の取付け用の後開口部２ｂとなっている。商品表示板３は後開口部２ｂを通じて本体フレーム２の内外に差込みかつ取出し可能である。また商品表示板３は、本体フレーム２内では、上下の両端辺が上位置保持溝４ｂ及び下位置保持溝５ｂにより位置保持され、前開口部２ａに面して湾曲状態に納められており、上下の両端辺の後部が上下のストッパ７，８に当接され、この当接によって後方への移動が抑制されている。
【０００７】
次に自動販売機用飲料缶見本１の組立てについて説明する。
商品表示板３を図４に示すように本体フレーム２の後側において、前方へ突出したＵ字状に湾曲させた状態で後開口部２ｂから本体フレーム内に移動させて、移動後、湾曲状態を徐々に開放しながら商品表示板の上下の各端辺を上下の各位置保持溝４ｂ，５ｂ内に順次位置させ、位置調整をすることにより、商品表示板３は上下の各位置保持溝４ｂ，５ｂを通じて上保持部４及び下保持部５に保持され、図１に示すような自動販売機用飲料缶見本１が組立てられる。この結果、商品表示板３、本体フレーム２（上下の保持部４，５及び連結用側枠６）が自動販売機用飲料缶見本の本体を形成することになる。
商品表示板３に表示されている必要な情報例えば商品名などが前開口部２ａを通じて認識できる。
自動販売機用飲料缶見本１の陳列部１０への取付けは、陳列板１０ａの取付け穴内周縁の係合部と、下保持部５の取付け部９の掛止め部９ａを利用して、自動販売機用飲料缶見本を図１及び図７に示すように陳列板１０ａ上に起立させるものである。
【０００８】
図１に示す自動販売機用飲料缶見本１は、前記従来例と比較して次のような効果がある。
第１は、商品表示板３の取付けや取外し作業がしやすく、量産する場合作業者の負担を軽減できる。すなわち、商品表示板３を小さく丸める必要はなく、半円筒状に湾曲させるだけで後開口部２ｂに差し込むことができ、そして後開口部の縦横の大きさはほぼ商品表示板のそれに相当する広さがあるから、糸を針の穴に通すような面倒な挿入操作の必要がなく、本体フレーム２内への収納作業が容易であり、自動販売機用飲料缶見本の量産性に適する。
第２は、材料の選択の範囲が広く、材料の軽減が図られる。すなわち、商品表示板を小さく丸める必要がある場合には十分復元可能な弾性材を選択することが不可欠であるが、商品表示板３が板状から半円筒状に弾性変形する程度の弾性材で足りるから、円筒状に変形するものと比較して、商品表示板３の材質及び肉厚の選択の範囲が広がり、そして上下の保持部４，５の使用材料は半減され、軽量化、省資源化及び製造コストのダウンに寄与するものとなる。
第３は、陳列部１０の奥行き寸法（図７左右方向の寸法）を短縮できる。すなわち、商品表示板を円筒状にする場合には上保持部及び下保持部の直径を商品表示板の直径より長くする必要があり、このために陳列部の奥行き寸法は上下の保持部の直径分以上の長さが必要となる。商品表示板３は半円筒状に湾曲するものであるから、円筒状のものと比較して上保持部及び下保持部の最大径が半減されるから、陳列部の奥行き寸法が短縮化され、自動販売機の薄形化が図られる。
【０００９】
図１及び図２に示す本体フレーム２の上下のストッパ７，８において、図３及び図５に示すように上下の位置保持溝４ｂ，５ｂの奥壁（図面では奥壁４ｂ１のみ図示）に商品表示板３の端面を当接して、この奥壁をストッパとしても良いが、上下のストッパを図示するように突起部で形成すれば、商品表示板の後方移動を確実に規制できる。
【００１０】
図９乃至図１５を参照して、この発明の他の実施の形態を説明する。
自動販売機用飲料缶見本１Ａの基本的構成は図１に示す前記自動販売機用飲料缶見本１と同一構成であるので、相違する構成のみについて説明する。
図示する自動販売機用飲料缶見本１Ａの説明において、使用する符号は、前記自動販売機用飲料缶見本１と同一構成である部分について自動販売機用飲料缶見本１の符号と一致させている。
自動販売機用飲料缶見本１Ａの特徴は上下の各ストッパ７，８に商品表示板３の左右端部が外側に開くことを抑制するための規制片部７ａ，８ａを設けていることにある。上下の各ストッパ７，８は平面ほぼＬ形に形成されており、規制片部７ａ，８ａがストッパ本体の前面から上下の位置保持溝４ｂ，５ｂの外側内面すなわち被覆部４ａ，５ａ側の内面４ｂ２，５ｂ２に沿って形成されている（図１１及び図１５）。規制片部７ａ，８ａの内面に商品表示板３の左右両端辺が当接している。図１５の５ｂ１は奥壁である。
上下の各ストッパ７，８の規制片部７ａ，８ａは商品表示板３の左右端部が外側に開くことを抑制する機能を備えているので、特に上下の位置保持溝４ｂ，５ｂが浅い場合に商品表示板の保持の安定化に有効に作用する。
各規制片部７ａ，８ａは上下の位置保持溝４ｂ，５ｂの被覆部４ａ，５ａ側の内面４ｂ２，５ｂ２に沿って設けられている限り、図１１及び図１５に示すように各規制片部の外面が内面４ｂ２，５ｂ２の延長上に位置しなくても良く、各規制片部の内面が内面４ｂ２，５ｂ２の延長上に位置して、商品表示板３の左右端部の納まりを良くするようにしても良い。
【００１１】
【発明の効果】
この発明によれば、本体フレームがほぼ半円形状の上下の各保持部と連結用側枠とによって構成され、前側に表示用の前開口部を、後側に商品表示板の取付け用の後開口部を形成しており、商品表示板を上保持部及び下保持部の上下の位置保持溝並びに上下の各ストッパによって保持しているので、従来例と比較して、組立てが簡易になり、使用する材料が少なくなる分だけ、省資源、省エネルギーに寄与でき、軽量化が図れ、陳列部の奥行き寸法が短縮化される。
【図面の簡単な説明】
【図１】この発明の自動販売機用飲料缶見本を示す一部切欠正面図である。
【図２】図１のＩＩ−ＩＩ線断面図である。
【図３】図１のＩＩＩ−ＩＩＩ線断面図である。
【図４】図３において、商品表示板を上位置保持溝から本体フレーム外後方に移動した状態を示す図である。
【図５】図３のＶ−Ｖ線拡大断面図である。
【図６】図１のＶＩ−ＶＩ線断面図である。
【図７】図１の側面図である。
【図８】図１の背面図である。
【図９】この発明の自動販売機用飲料缶見本の他の実施の形態を示す縦断面図である。
【図１０】図９のＸ−Ｘ線断面図を９０°回転した状態を示す図である。
【図１１】図１０において、商品表示板を上位置保持溝から本体フレーム外後方に移動した状態を示す図である。
【図１２】図１０のＸＩＩ−ＸＩＩ拡大線断面図である。
【図１３】図１０のＸＩＩＩ−ＸＩＩＩ拡大線断面図である。
【図１４】図９のＸＩＶ−ＸＩＶ線断面図を９０°回転した状態を示す図である。
【図１５】下位置保持溝と下ストッパとの関係を示す断面図である。
【符号の説明】
１，１Ａ        自動販売機用飲料缶見本
２              本体フレーム
２ａ            前開口部
２ｂ            後開口部
３              商品表示板
４              上保持部
４ａ            被覆部
４ｂ            上位置保持溝
４ｂ２          上位置保持溝の被覆部側の内面
５              下保持部
５ａ            被覆部
５ｂ            下位置保持溝
５ｂ２          下位置保持溝の被覆部側の内面
６              連結用側枠
７              上ストッパ
７ａ            規制片部
８              下ストッパ
８ａ            規制片部
９ｂ            光取り入れ孔
ｄ              距離
【図１】
2004152070.tif 000003
【図２】
2004152070.tif 000004
【図３】
2004152070.tif 000005
【図４】
2004152070.tif 000006
【図５】
2004152070.tif 000007
【図６】
2004152070.tif 000008
【図７】
2004152070.tif 000009
【図８】
2004152070.tif 000010
【図９】
2004152070.tif 000011
【図１０】
2004152070.tif 000012
【図１１】
2004152070.tif 000013
【図１２】
2004152070.tif 000014
【図１３】
2004152070.tif 000015
【図１４】
2004152070.tif 000016
【図１５】
2004152070.tif 000017